(57)【特許請求の範囲】
【請求項１】
ホーン部とコネクターとを設けた箱形の筺体と、合成樹脂から成るカバーとを備え、前記カバーは、前記筺体を覆う第１カバー部と、この第１カバー部と一体に形成され、前記コネクターを覆う第２カバー部を有し、前記カバーは、二つに分割されて、それぞれ前記第１，第２カバー部を備えた二つの半体を有し、前記カバーの前記半体のそれぞれが前記筺体の側方から前記筺体と前記コネクターに被せるようにしたことを特徴とする衛星放送受信用コンバーター。
【請求項２】
前記第１カバー部の側壁と前記第２カバー部の側壁を連結部で連結し、前記連結部を支点として前記第２カバー部が回動可能としたことを特徴とする請求項１記載の衛星放送受信用コンバーター。
【請求項３】
前記コネクターの正面端部と対向する前記第２カバー部の正面壁には、一端が開放した切り溝を形成したことを特徴とする請求項２，又は３記載の衛星放送受信用コンバーター。
【発明の詳細な説明】
【０００１】
【発明の属する技術分野】
本発明は屋外に配設される衛星放送受信用コンバーターに関し、特に、防水効果の良好なコンバーターに関する。
【０００２】
【従来の技術】
一般に、衛星放送を受信する場合、図１に示すように、屋外にアンテナ１と衛星放送受信用コンバーター２を設置し、衛星電波をアンテナ１で受けて、この電波をアンテナ１で反射させてコンバーター２のホーン部６に入力させ、コンバーター２で電気的処理を行った信号を、コネクター７を介してケーブル８によって屋内９のチューナ（図示せず）に導くようになっている。
【０００３】
従来における屋外用に使用される衛星放送受信用（以後、ＢＳと略称する）コンバーターは、図６〜図８に示すように、金属製の断面がコ字状なすケース３と、ケース３の開放部を塞ぐ金属製の蓋体４とで筺体５が構成されている。
そして、この筺体５内には、ここでは図示しないが、所望の電気回路を形成した回路基板が収納されると共に、ケース３と蓋体４との間には防水構成が施されている。
また、ケース３の上壁３ａには、衛星電波を入力するホーン部６が設けられ、また、正面壁３ｂには、同軸型のコネクター７の雌型部７ａが外方に突出して設けられている。
そして、この雌型部７ａには、ケーブル８を接続した雄型部７ｂがはめ合わせる構成となっている。
【０００４】
また、合成樹脂から成るカバー１５は、筺体５を覆う二つに分割された半体１６（図８参照）を有し、この二つの半体１６は、それぞれ筺体５の側方から筺体５に被せて、二つの半体１６同志を適宜手段で結合して構成されている。
そして、カバー１５が筺体５に取り付けられた際は、図６に示すように、切り溝１６ａを通してコネクター７の雌型部７ａが突出した構成となっている。
また、雌型部７ａには、ケーブル８を接続した雄型部７ｂがはめ合わされ、このコネクター７の外周部は、防水用のテープ（図示せず）を巻き付けてコネクター７における防水を行っている。
そして、このような構成を有するＢＳコンバーターは、屋外に設置されて、雨等にさらされることになるが、筺体５は、カバー１５によって保護され、雨等による筺体５の防水構成の劣化が防止された構成となっている。
しかし、コネクター７の防水用のテープは、雨等にさらされ、その劣化が著しく、ＢＳコンバーターの機能が早期に損なうこととなる。
【０００５】
【発明が解決しようとする課題】
従来のＢＳコンバーターは、筺体５のみをカバー１５で覆うものであるため、コネクター７のための防水用のテープを必要として、コスト高となる上に、巻き付け作業が必要で、その作業が面倒であるという問題がある。
また、コネクター７の防水用のテープは、雨等にさらされ、その劣化が著しく、ＢＳコンバーターの機能が早期に損なうという問題がある。
【０００６】
【課題を解決するための手段】
上記課題を解決するための第１の解決手段として、ホーン部とコネクターとを設けた箱形の筺体と、合成樹脂から成るカバーとを備え、前記カバーは、前記筺体を覆う第１カバー部と、この第１カバー部と一体に形成され、前記コネクターを覆う第２カバー部を有し、前記カバーは、二つに分割されて、それぞれ前記第１，第２カバー部を備えた二つの半体を有し、前記カバーの前記半体のそれぞれが前記筺体の側方から前記筺体と前記コネクターに被せるようにした構成とした。  また、第２の解決手段として、前記第１カバー部の側壁と前記第２カバー部の側壁を連結部で連結し、前記連結部を支点として前記第２カバー部が回動可能とした構成とした。
また、第３の解決手段として、前記コネクターの正面端部と対向する前記第２カバー部の正面壁には、一端が開放した切り溝を形成した構成とした。
【０００７】
【発明の実施の形態】
本発明における屋外用の衛星放送受信用コンバーターを、図１〜図５に基づいて説明すると、図１は本発明における衛星放送受信の概要を示す説明図、図２は本発明の衛星放送受信用コンバーターの斜視図、図３は図２のＡ−Ａ線における要部の断面図、図４は本発明の衛星放送受信用コンバーターの組立を説明するための斜視図、図５は本発明の衛星放送受信用コンバーターに係るカバーの斜視図である。
【０００８】
一般に、衛星放送を受信する場合、図１に示すように、屋外にアンテナ１と衛星放送受信用コンバーター２を設置し、衛星電波をアンテナ１で受けて、この電波をアンテナ１で反射させてコンバーター２のホーン部６に入力させ、コンバーター２で電気的処理を行った信号を、コネクター７を介してケーブル８によって屋内９のチューナ（図示せず）に導くようになっている。
そして、衛星放送受信用コンバーター２は屋外にあって、雨等にさらされた状態となっている。
【０００９】
次に、本発明における屋外用に使用される衛星放送受信用（以後、ＢＳと略称する）コンバーターを、図２〜図５に基づいて説明すると、金属製の箱形の筺体５は、金属製の断面がコ字状なすケース３と、ケース３の開放部を塞ぐ金属製の蓋体４とで構成されている。
そして、この筺体５内には、ここでは図示しないが、所望の電気回路を形成した回路基板が収納されると共に、ケース３と蓋体４との間には防水構成が施されている。
また、ケース３の上壁３ａには、衛星電波を入力するホーン部６が設けられ、また、正面壁３ｂには、同軸型のコネクター７の雌型部７ａが外方に突出して設けられている。
そして、この雌型部７ａには、ケーブル８を接続した雄型部７ｂがはめ合わせる構成となっている。
【００１０】
また、合成樹脂等の成型品から成る箱形のカバー１０は、筺体５とコネクター７とを覆う二つに分割された半体（図５参照）を有し、この二つの半体は、それぞれ筺体５を覆う箱状の第１カバー部１１と、コネクター７を覆う箱状の第２カバー部１２と、第１カバー部１１の側壁１１ａと第２カバー部１２の側壁１２ａとを連結する連結部１３と、第２カバー部１２の正面壁１２ｂに設けられ、一端が開放した切り溝１２ｃとを備えている。
即ち、カバー１０の第１カバー部１１と第２カバー部１２の上壁１１ｂと１２ｄとの間、及び下壁１１ｃと１２ｅとの間が切り離されて、側壁１１ａ、１２ａの連結部１３によってヒンジ結合され、連結部１３支点として回動可能と成っている。
そして、このカバー１０は、図２に示すように、第１カバー部１１と第２カバー部１２とを有する半体を、それぞれ筺体５の側方の双方から被せて、第１カバー部１１で筺体５を覆い、また、第２カバー部１２でコネクター７を覆って、切り溝１２ｃからケーブル８を導出した構成となっている。
また、ここでは図示しないが、半体の第１カバー部１１同志、及び半体の第２カバー部１２同志が、例えば、係脱可能な爪部等の適宜手段によって結合された構成となっている。
【００１１】
次に、本発明のＢＳコンバーターのカバー１０の組立について説明すると、先ず、図４に示すように、カバー１０の二つの半体を、筺体５の側方から筺体５に被せて、第１カバー部１１により筺体５を覆った状態で、二つの半体同志を適宜手段で結合して、カバー１０を筺体５に取り付けた状態にする。
この時、第２カバー部１２は、側壁１２ａ側に回動した状態にあって、ケース３の正面壁３ｂ側が開かれた状態にあり、コネクター７の雌型部７ａが露出した状態となっている。
次に、この状態で、ケーブル８付のコネクター７の雄型部７ｂを、雌型部７ａにはめ合わせて取り付けた後、第２カバー部１２を、連結部１３を支点として回動する。
すると、一端が開放された切り溝１２ｃ内に、ケーブル８を位置させながら第２カバー部１２でコネクター７の雌型部７ａ、雄型部７ｂを覆い、そして、上下壁１２ｄ，１２ｅのそれぞれが第１カバー部１１の上下壁１１ｂ，１１ｃに合わされ、二つの第２カバー部１２の半体同志、或いは第２カバー部１２と第１カバー部１１とが適宜手段で結合して、カバー１０の組立が完了する。
【００１２】
そして、このような構成を有するＢＳコンバーターは、屋外に設置されて、雨等にさらされることになるが、筺体５は、カバー１０の第１カバー部１１によって保護され、雨等による筺体５の防水構成の劣化が防止され、また、コネクター７は、第２カバー部１２によって保護され、雨等によるコネクター７の劣化を防止した構成となっている。
【００１３】
なお、上記実施形態の他に、第１カバー部１１と第２カバー部１２とを分離して、両カバー部１１、１２でそれぞれ筺体５、コネクター７を覆った後、両カバー部１１と１２とを結合するもの、或いは、第１カバー部１１の上壁１１ｂ，下壁１１ｃと第２カバー部１２の上壁１２ｄ、１２ｅとを連結して一体化し、両カバー部１１、１２で筺体５とコネクター７とを同時に覆うようにしても良い。
更に、雌型部７ａと雄型部７ｂがはめ合わて成るコネクター７の外周部を、必要に応じて防水用のテープ（図示せず）を巻き付けてコネクター７における防水を行っても良い。
【００１４】
【発明の効果】
本発明の衛星放送受信用コンバーターは、カバー１０の第２カバー部１２でコネクター７を覆うようにしたため、雨等によるコネクター７の劣化を防止でき、長期にわたって機能の安定したコンバーターを提供できる。
また、防水用のテープを省くことが出来、安価で、作業性の良好な組立が出来る。
また、第１カバー部１１と第２カバー部１２とを一体にすることにより、カバー１０の構成、並びに組立性の良好なものが得られ、安価で、組立性の良好なものが提供できる。
また、カバー１０を二つに分割し、筺体４の側方から被せるようにしたため、コネクター７の雌型部７ａと雄型部７ｂとを組み合わせた後に、カバー１０を組み合わせることが出来、その組立性が簡単で、良好なコンバーターを提供できる。
また、第１カバー部１１の側壁１１ａと第２カバー部１２の側壁１２ａとを連結部１３で連結し、連結部１３を支点として第２カバー部１２を回動可能にしたため、第１カバー部１１を筺体４に取り付けた状態で、第２カバー部１２を閉じたり、開いたりすることが出来、従って、コネクター７の取付、取り外しが容易なカバー１０を提供できる。
更に、第２カバー部１２の正面壁１２ｂに、一端が開放した切り溝１２ｃを設けることにより、ケーブル８に対して、第２カバー部１２の開閉動作を容易になすと共に、コネクター７を確実に覆うことが出来て、組立作業性が良く、雨等の防水の良好なコンバータを提供できる。
【図面の簡単な説明】
【図１】本発明における衛星放送受信の概要を示す説明図。
【図２】本発明の衛星放送受信用コンバーターの斜視図。
【図３】図２のＡ−Ａ線における要部の断面図。
【図４】本発明の衛星放送受信用コンバータの組立を説明するための斜視図。
【図５】本発明の衛星放送受信用コンバーターに係るカバーの斜視図。
【図６】従来の衛星放送受信用コンバーターの斜視図。
【図７】従来の衛星放送受信用コンバーターの要部の断面図。
【図８】従来の衛星放送受信用コンバーターに係るカバーの斜視図。
【符号の説明】
１  アンテナ
２  衛星放送受信用コンバーター
３  ケース
３ａ  上壁
３ｂ  正面壁
４  蓋体
５  筺体
６  ホーン部
７  コネクター
７ａ  雌型部
７ｂ  雄型部
８  ケーブル
９  屋内
１０  カバー
１１  第１カバー部
１１ａ  側壁
１１ｂ  上壁
１１ｃ  下壁
１２  第２カバー部
１２ａ  側壁
１２ｂ  正面壁
１２ｃ  切り溝
１２ｄ  上壁
１２ｅ  下壁
１３  連結部
【図１】
0003621236.tif 000002
【図２】
0003621236.tif 000003
【図３】
0003621236.tif 000004
【図４】
0003621236.tif 000005
【図５】
0003621236.tif 000006
【図６】
0003621236.tif 000007
【図７】
0003621236.tif 000008
【図８】
0003621236.tif 000009